(57)【特許請求の範囲】
【請求項１】
基板と、該基板上に載置された複数枚の平板状製品を内部に収納するように該基板上にブリスターフィルムによって形成された製品収納部とからなり、前記複数枚の平板状製品を互いに部分的に位置を一致させない状態で配置して平板状製品の収納枚数が一目で判別できるようにしたブリスターパックであって、前記平板状製品が方形又は台形であり、下層側に位置する方形又は台形平板状製品の３カ所の隅角部及び最上層に位置する方形又は台形平板状製品の少なくとも３カ所の隅角部をブリスターフィルムで保持したことを特徴とするブリスターパック。
【請求項２】
前記製品収納部が前記基板上に周縁部が固着されたブリスターフィルムによって形成されていることを特徴とする請求項１項記載のブリスターパック。
【請求項３】
前記製品収納部が前記基板上面を被覆しかつ該基板にスライド自在に着脱可能とされたブリスターフィルム体によって形成されていることを特徴とする請求項１記載のブリスターパック。
【請求項４】
前記基板の下端部分に説明表示部を印刷するとともに該説明表示部に一致させて印刷された説明表示部シートを上記製品の下端部分上面に配置し、該基板の説明表示部と該説明表示部シートとが連続的に見えるようにし、かつ、前記説明表示部シートの端部に突出部を設け、該突出部をブリスターフィルムで保持するようにしたことを特徴とする請求項１〜３のいずれか１項記載のブリスターパック
【発明の詳細な説明】
【０００１】
【発明の属する技術分野】
本発明は、内部に製品を収納してフック棚等に懸吊され展示販売されるブリスターパックの改良に関する。
【０００２】
【関連技術】
従来、図７及び図８に示すごとく、種々の製品、例えば物品の所定部位に貼着されてその部位のキズを防止する作用を果すフットタックＴ又はＲ等を内部に収納し、フック棚等に懸吊展示販売されるブリスターパックＰ１が知られている。
【０００３】
このブリスターパックＰ１は、基板１２と、該基板１２上に載置された製品Ｔ１又はＲ等を内部に収納するように該基板上に周縁部が固着されたブリスターフィルム１４によって形成された収納部１６とから構成されている。
【０００４】
該製品収納部１６としては、基板１２上面を被覆しかつ該基板にスライド自在に着脱可能とされたブリスターフィルム体によって形成される構造も知られている。
【０００５】
上記フットタックとしては、方形の平板状製品Ｔ（図７）と小形の円板状製品Ｒ（図８）とがある。平板状製品Ｔは複数枚を完全に一致させ重ね合わせてブリスターパック内に収納されるため、一見しただけでは何枚の製品が収納されているのか判然としないという問題があった（図７）。小形円板状製品Ｒは複数個を台紙Ｄに着脱自在に貼着して収納されるので、平板状製品Ｔのような問題はない（図８）。
【０００６】
また、平板状製品Ｔ及び小形円板状製品Ｒのいずれの場合でも、製品の使用状態等を示す説明写真や説明イラストが印刷表示される説明表示部１８が、製品収納部１６、即ちブリスターフィルム１４の固着部分の上方に位置する基板面に印刷表示されている。
【０００７】
このため、基板１２としては、ブリスターフィルム１４の固着部分、即ち製品収納部１６の他に説明表示部１８を設ける必要があり、面積の大きい基板１２が使用され、それだけブリスターパックＰ１は大きくなり、その設置位置、例えばフック棚の面積をその分だけ多く必要としていた。
【０００８】
なお、図７及び図８において、Ｈは基板１２の上端部に開口されたフック孔である。該フック孔Ｈを介してフック棚等のフック棒に該ブリスターパックＰ１は懸吊される。
【０００９】
【発明が解決しようとする課題】
本発明は、上記した従来のブリスターパックの構造について検討を行った結果、発明されたもので、説明表示部を印刷した説明表示部シートを製品収納部の下部でかつ製品の上面に配置することによって製品収納部の上方に位置する基板面への説明表示部の印刷を省略することを可能とし、その分だけ基板面積を縮小することができ、また、特に複数枚の平板状製品を収納する場合でも何枚収納されているかが一目で判別することができるようにしたブリスターパックを提供することを目的とする。
【００１０】
【課題を解決するための手段】
上記課題を解決するために、本発明のブリスターパックは、基板と、該基板上に載置された複数枚の平板状製品を内部に収納するように該基板上にブリスターフィルムによって形成された製品収納部とからなり、前記複数枚の平板状製品を互いに部分的に位置を一致させない状態で配置して平板状製品の収納枚数が一目で判別できるようにしたブリスターパックであって、前記平板状製品が方形又は台形であり、下層側に位置する方形又は台形平板状製品の３カ所の隅角部及び最上層に位置する方形又は台形平板状製品の少なくとも３カ所の隅角部をブリスターフィルムで保持したことを特徴とする。このような構成とすることによって、前記平板状製品がブリスターフィルムによって確実に保持され、その妄動が防止される。
【００１１】
本発明のブリスターパックにおいては、前記基板の下端部分に説明表示部を印刷するとともに該説明表示部に一致させて印刷された説明表示部シートを上記製品の下端部分上面に配置し、該基板の説明表示部と該説明表示部シートとが連続的に見えるようにし、かつ、前記説明表示部シートの端部に突出部を設け、該突出部をブリスターフィルムで保持するように構成するのが好適である。この構成により、前記平板状製品及び説明表示部シートが共にブリスターフィルムによって確実に保持され、その妄動が防止される。
【００１２】
前記製品収納部としては、前記基板上に周縁部が固着されたブリスターフィルムによって形成したもの、または前記基板上面を被覆しかつ該基板にスライド自在に着脱可能とされたブリスターフィルム体によって形成したもののいずれも適用することができる。
【００１３】
【発明の実施の形態】
以下に本発明の一つの実施の形態を添付図面中、図１〜図３にもとづいて説明する。図１〜図３において、図７及び図８と同一部材又は類似部材は同一符号で示す。
【００１４】
図１は本発明のブリスターパックの一つの実施の形態を示す斜視図、図２は図１のＡ−Ａ線断面図及び図３は図１のＢ−Ｂ線断面図である。
【００１５】
図中、Ｐ２は本発明に係るブリスターパックであり、基板１２を有している。該基板１２上には、その上面に周縁部が固着されたブリスターフィルム１４によって形成された製品収納部１６が設けられている。該製品収納部１６の内部には複数枚（図１〜図３においては２枚の場合を示したが、３枚以上を収納することも可能である）の平板状製品、例えばフットタックＴ１，Ｔ２が収納されている。
【００１６】
該ブリスターフィルム１４の材料としては、塩化ビニル、ポリプロピレン、ポリエチレン、ポリエステル等の熱可塑性樹脂シートが用いられる。
【００１７】
製品収納部１６は、基板１２上面を被覆しかつ該基板にスライド自在に着脱可能とされたブリスターフィルム体によって形成することもできるが、この例では図示した固着タイプのブリスターフィルム１４によって形成された場合について説明する。
【００１８】
該複数枚の平板状製品Ｔ１，Ｔ２を互いに部分的に位置を一致させない状態で配置し、収納枚数が一目で判別できるようになっている。
【００１９】
該平板状製品Ｔ１，Ｔ２が方形の場合には、図１によく示されるごとく、下層側に位置する平板状製品Ｔ１の３カ所の隅角部２０ａ、２０ｂ、２０ｃ及び上層側に位置する平板状製品Ｔ２の少なくとも３カ所（図示の例では４カ所）の隅角部２２ａ、２２ｂ、２２ｃ、２２ｄに対応する保持隅角部２４ａ、２４ｂ、２４ｃ及び２６ａ，２６ｂ、２６ｃ、２６ｄがブリスターフィルム１４に形成される。
【００２０】
それらの保持隅角部２４ａ〜２４ｃ、２６ａ〜２６ｄを介して隅角部２０ａ〜２０ｃ、２２ａ〜２２ｄを保持し、それぞれの平板状製品Ｔ１及びＴ２を固定するようになっている。該平板状製品Ｔ１，Ｔ２はブリスターフィルム１４によって固定され妄動することはない。
【００２１】
１８は基板１２の下端部分に印刷された説明表示部で、ブリスターパックの収納部に収納されている製品の使用状態等を示す説明写真や説明イラストが印刷表示されている。
【００２２】
２８は説明表示部シートで、該説明表示部１８と同一の図柄の説明写真や説明イラスト等が該説明表示部１８よりも幅狭な面積で印刷表示されている。したがって、該説明表示部１８と説明表示部シート２８を一致させれば両者は違和感なく完全に一致することとなる。
【００２３】
該説明表示部シート２８の端部には突出部３０が形成されている。３２は該突出部３０に対応してブリスターフィルム１４に形成された保持突出部であり、該保持突出部３２を介して該突出部３０を保持し、該説明表示シートを固定するようになっている。
【００２４】
この時、該保持突出部３２の下端部と前記保持隅角部２４ｃとを図１に示すごとく、一致させて形成すれば、該保持隅角部２４ｃは隅角部２０ｃと突出部３０の下端部とを同時に保持固定することができる利点がある。
【００２５】
該説明表示シート２８はブリスターフィルム１４によって固定され妄動することはなく、しかも該説明表示シート２８上の説明写真や説明イラストは基板１２の上面の説明写真や説明イラストと完全に一致して印刷表示されており、かつ該説明表示部シート２８はその説明写真等が該説明表示部２８の説明写真等と一致するように固定されるので、両者の説明写真等は連続的に違和感なく表示されることとなる。
【００２６】
なお、Ｈは該基板１２の上部に開口されたフック孔である。該フック孔Ｈを介してフック棚等のフック棒に該ブリスターパックＰ２は、従来品と同様に、懸吊される。
【００２７】
上記のような構成とすれば、方形の平板状製品Ｔ１，Ｔ２は互いに部分的にずらして製品収納部１６内に収納されているので、一見すれば何枚入のブリスターパックであるかはすぐにわかり、その上ブリスターフィルム１４によって確実に保持され妄動することはないものである。
【００２８】
また、説明写真等の表示される説明表示部シート２８は該平板状製品Ｔ２の上面下部に位置するように該製品収納部１６内に確実に保持され妄動することはない。しかも、基板上面に印刷表示された説明表示部１８の説明写真等と説明表示部シート２８の説明写真等とは完全に一致するように配置されるので、両者は連続的に違和感なく見えるものである。
【００２９】
したがって、説明表示部１８を製品収納部１６の上方に配置した従来のブリスターパックＰ１に比較して本発明のブリスターパックＰ２は説明表示部１８と製品収納部１６とを重複させており、その分だけ基板１２を小型化することができ、結果的に展示用スペースをもコンパクトにすることができる。
【００３０】
上記した実施の形態では、製品収納部１６に収納される製品が方形平板状製品Ｔ１，Ｔ２である場合について説明したが、本発明は他の形状（例えば、三角形、台形、円形、半円形等）の平板状製品についても適用可能なことは勿論である。
【００３１】
また、本発明における説明表示部シート１８による説明写真等の表示は他の形状の製品についても適用可能であり、その適用例について図４を参照に説明する。図４は本発明の他の実施の形態を示す斜視図である。図４において、図１〜図３と同一又は類似部材は同一符号で示す。
【００３２】
図４中、Ｐ３は本発明に係るブリスターパックであり、基板１２を有している。該基板１２上には、その周縁部が固着されたブリスターフィルム１４によって形成された製品収納部１６が設けられている。該製品収納部１６の内部には複数個の小形円板状製品、例えばフットタックＲが台紙Ｄに着脱自在に貼着して収納されている。
【００３３】
図１〜３の例の場合と同様に、１８は該基板１２の下端部分に印刷された説明表示部で、ブリスターパックの収納部に収納されている製品の使用状態等を示す説明写真や説明イラストが印刷表示されている。
【００３４】
同様に、２８は説明表示部シートで、該説明表示部１８と同一の図柄の説明写真や説明イラスト等が該説明表示部１８よりも幅狭な面積で印刷表示されている。したがって、該説明表示部１８と説明表示部シート２８を一致させれば両者は違和感なく完全に一致する。
【００３５】
該説明表示部シート２８はその一端部が前記台紙Ｄの一側端から突出する突出部３０となるように該台紙Ｄの幅よりも大となるように形成されている。３２は該突出部３０に対応してブリスターフィルム１４に形成された保持突出部であり、該保持突出部３２を介して該突出部３０を保持し、該説明表示部シート２８を固定するようになっている。
【００３６】
該説明表示部シート２８はブリスターフィルム１４によって固定され妄動することはなく、しかも該説明表示部シート２８上の説明写真や説明イラストは基板１２の上面の説明写真や説明イラストと完全に一致して印刷表示されており、かつ該説明表示部シート２８はその説明写真等が該説明表示部２８の説明写真等と一致するように固定されるので、両者の説明写真等は連続的に違和感なく表示されることとなる。なお、Ｈはフック孔である。
【００３７】
上記した構成とすれば、小形円板状製品Ｒを製品収納部１６に収納した場合でも、説明写真等の表示される説明表示シート２８は該台紙Ｄに貼着された複数個の製品Ｒの上面でかつ該台紙の下部側に位置するように該収納部１６内に確実に保持され妄動することはない。
【００３８】
しかも、基板上面に印刷表示された説明表示部１８の説明写真等と説明表示部シート２８の説明写真等とは完全に一致するように配置されるので、両者は連続的に違和感なく見えるものである。
【００３９】
したがって、上記した図１〜図３の場合と同様に、基板１２を小型化することができ、結果的に展示用スペースをもコンパクトにすることができる。
【００４０】
図１及び図４に示された実施の形態では、製品収納部１６が、固着されたブリスターフィルム１４によって形成される例を示したが、図５及び図６に示すように、製品収納部１６が、基板１２の上面を被覆しかつ該基板１２にスライド自在に着脱可能とされたブリスターフィルム体１４ａによって形成することもできる。このブリスターフィルム体１４ａを有し、その他の構成は上述したブリスターパックＰ２と同様のブリスターパックＰ２’もブリスターパックＰ２と同様の作用を果すものである。なお、ブリスターパックＰ３に対応する図示例は省略したが、ブリスターパックＰ２’と同様に作成できることはいうまでもない。
【００４１】
【発明の効果】
以上述べたごとく、本発明によれば、説明表示部を印刷した説明表示部シートを製品収納部の下部でかつ製品の上面に配置することによって、製品収納部の上方に位置する基板面への説明表示部の印刷を省略することを可能とし、その分だけ基板面積を縮小することができる。その上、製品収納部に複数枚の平板状製品を収納する場合には、それらの製品を互いに部分的に位置を一致させない状態で配置することにより、何枚収納されているかを一目で判別することができるようにしたものである。
【図面の簡単な説明】
【図１】  本発明のブリスターパックの一つの実施の形態を示す斜視図である。
【図２】  図１のＡ−Ａ線断面図である。
【図３】  図１のＢ−Ｂ線断面図である。
【図４】  本発明のブリスターパックの他の実施の形態を示す斜視図である。
【図５】  本発明のブリスターパックの別の実施の形態を示す斜視図である。
【図６】  図５の裏面斜視図である。
【図７】  方形の平板状製品の説明図である。
【図８】  小形の円板状製品の説明図である。
【符号の説明】
１２  基板
１４，１４ａ  ブリスターフィルム
１６  製品収納部
１８  説明表示部
２０ａ，２０ｂ，２０ｃ  ３カ所の隅角部
２２ａ，２２ｂ，２２ｃ，２２ｄ  ４カ所の隅角部
２４ａ，２４ｂ，２４ｃ  保持隅角部
２６ａ，２６ｂ，２６ｃ，２６ｄ  保持隅角部
２８  説明表示部シート
３０  突出部
３２  保持突出部
Ｄ  台紙
Ｈ  フック孔
Ｔ，Ｔ１，Ｔ２  平板状製品
Ｐ１  従来のブリスターパック
Ｐ２，Ｐ２’，Ｐ３  本発明のブリスターパック
Ｒ  小形円板状製品
【図１】
0003811541.tif 000002
【図２】
0003811541.tif 000003
【図３】
0003811541.tif 000004
【図４】
0003811541.tif 000005
【図５】
0003811541.tif 000006
【図６】
0003811541.tif 000007
【図７】
0003811541.tif 000008
【図８】
0003811541.tif 000009